(57)【要約】【構成】複合機２の操作パネル３０の電話帳キーやスタートキーなどに、指紋センサなどのバイオメトリクスセンサを重ねて配置する。これらのキーにユーザが触れると、自動的にバイオメトリクスデータを読み取って、記憶したバイオメトリクスデータと比較して、ユーザを特定し、このユーザ用の設定データに従って複合機を動作させる。【効果】パスコードを入力する手間無しに、ファクシミリ／コピーの複合機などを、ユーザ毎の設定情報に従い、そのユーザにカスタマイズして使用することができる。【選択図】    図１
2005006259.tif 000002
【特許請求の範囲】
【請求項１】
ユーザ毎のバイオメトリクスデータを記憶するための手段と、入力されたバイオメトリクスデータと記憶したバイオメトリクスデータとを比較して一致するバイオメトリクスデータを抽出するための手段と、抽出されたバイオメトリクスデータからユーザを特定するための手段と、ユーザ毎の文書処理装置の設定情報を記憶するための手段とを設けて、
バイオメトリクスデータの入力によりユーザ毎の設定情報を呼び出して、ユーザ毎の設定情報に従って文書処理装置を使用できるようにした、文書処理装置。
【請求項２】
文書処理装置の機体上に、他の操作入力手段を兼ねるようにして、バイオメトリクスデータの検出センサを設け、前記操作入力手段の操作により、ユーザのバイオメトリクスデータを読み取るようにしたことを特徴とする、請求項１の文書処理装置。
【請求項３】
読み取ったバイオメトリクスデータに基づいて、そのユーザの設定情報に従った操作入力を、操作パネルからユーザが行えるようにしたことを特徴とする、請求項２の文書処理装置。
【請求項４】
文書処理装置の機体上に、他の操作入力手段から独立させてバイオメトリクスデータの検出センサを設けて、ユーザのバイオメトリクスデータを読み取るようにし、
読み取ったバイオメトリクスデータに基づいて、そのユーザの設定情報に従った操作入力を、操作パネルからユーザが行えるようにしたことを特徴とする、請求項１の文書処理装置。
【請求項５】
文書処理装置の共用の設定情報を記憶するための手段を設けて、バイオメトリクスデータが入力されない際に、前記共用の設定情報に従って文書処理装置を動作させるようにしたことを特徴とする、請求項１〜４のいずれかの文書処理装置。
【請求項６】
文書処理装置の機体上に、バイオメトリクスデータの検出センサへの入力エリアと、該検出センサに入力しないエリアの双方を設けた操作入力手段を設けて、該操作入力手段へのユーザの操作により、ユーザ毎の設定情報に従って文書処理装置を動作させるか、共用の設定情報に従って動作させるかを決定するようにしたことを特徴とする、請求項５の文書処理装置。
【請求項７】
バイオメトリクスデータの入力により、ユーザ毎の設定情報を呼び出して、文書処理装置をユーザ毎の設定情報に従って使用できるようにすると共に、文書処理装置に対するユーザの管理権限の認証を行うにしたことを特徴とする、請求項１〜６のいずれかの文書処理装置。
【請求項８】
バイオメトリクスデータの入力と、ユーザを特定する文字情報の入力のいずれによっても、ユーザ毎の設定情報を呼び出して、文書処理装置をユーザ毎の設定情報に従って使用できるようにしたことを特徴とする、請求項１〜７のいずれかの文書処理装置。
【請求項９】
ユーザ毎のバイオメトリクスデータを記憶し、入力されたバイオメトリクスデータと記憶したバイオメトリクスデータとを比較して一致するバイオメトリクスデータを抽出し、抽出したバイオメトリクスデータからユーザを特定すると共に、ユーザ毎の文書処理装置の設定情報を記憶して、
バイオメトリクスデータの入力によりユーザ毎の設定情報を呼び出して、文書処理装置をユーザ毎の設定情報に従って、ユーザに使用させるようにした文書処理方法。
【請求項１０】
文書処理装置の機体上に、操作入力手段を兼ねるようにして、バイオメトリクスデータの検出センサを設けて、前記操作入力手段の操作により、ユーザのバイオメトリクスデータを読み取るようにしたことを特徴とする、請求項９の文書処理方法。
【発明の詳細な説明】
【０００１】
【発明の利用分野】
この発明は、ファクシミリ、スキャナ、コピー機などの文書処理装置と、これらの文書処理装置での文書の処理方法に関する。
【０００２】
【従来技術】
【０００３】
【特許文献１】特開２００３−２３４２２号公報
特許文献１は、バイオメトリクスデータを用いた本人認証について記載している。そしてバイオメトリクスデータによる本人認証を、複写機などの文書処理装置に適用することも考えられる。
【０００４】
【発明の課題】
この発明の課題は、パスコードやＩＤなどを一々入力しなくても、文書処理装置をユーザ毎の設定情報に従って使用できるようにすることにある（請求項１〜１０）。
請求項２，１０の発明での追加の課題は、極めて簡単に、かつユーザがバイオメトリクスデータを入力することをほとんど意識せずに、バイオメトリクスデータを入力できるようにすることにある。
請求項３の発明での追加の課題は、ユーザ毎の設定情報を利用した操作パネルを提供することにある。
請求項４の発明での追加の課題は、バイオメトリクスデータを入力して、操作中のユーザの設定情報に合わせて操作パネルを使用するか、バイオメトリクスデータを入力しないで、通常の設定で文書処理装置を使用するか、を選択できるようにすることにある。
請求項５，６の発明での追加の課題は、文書処理装置をユーザ毎の設定情報に従って使用するか、共用の設定情報に従って作動させるかを、ユーザが選択できるようにすることにある。
請求項７の発明での追加の課題は、文書処理装置の管理者権限などを、簡単に認証できるようにすることにある。
請求項８の発明での追加の課題は、バイオメトリクスデータでも、在来のパスコードやＩＤなどでも、ユーザを特定できるようにすることにある。
【０００５】
【発明の構成】
この発明の文書処理装置は、ユーザ毎のバイオメトリクスデータを記憶するための手段と、入力されたバイオメトリクスデータと記憶したバイオメトリクスデータとを比較して一致するバイオメトリクスデータを抽出するための手段と、抽出されたバイオメトリクスデータからユーザを特定するための手段と、ユーザ毎の文書処理装置の設定情報を記憶するための手段とを設けて、バイオメトリクスデータの入力によりユーザ毎の設定情報を呼び出して、文書処理装置をユーザ毎の設定情報に従って使用できるようにしたものである（請求項１）。
【０００６】
好ましくは、文書処理装置の機体上に、他の操作入力手段を兼ねるようにして、バイオメトリクスデータの検出センサを設け、前記操作入力手段の操作により、ユーザのバイオメトリクスデータを読み取るようにする（請求項２）。
操作入力手段は例えば機能選択キーや電話帳キー、アドレスキーなどの、操作の初期に触れるキー、あるいはスタートキーやストップキー、クリアキーなどの頻繁に触れるキーとし、機能選択キーや電話帳キー、アドレスキーなどの、操作の初期に触れるキーが好ましい。操作入力キーに重ねて、言い換えると操作入力キーを兼ねるようにバイオメトリクスセンサを設けるので、バイオメトリクスデータの種類は指紋、指先の毛細血管のパターン、汗腺のパターン、ＤＮＡ、汗の成分、キーにタッチする際の圧力パターンなどの、指先から読み取れるものが好ましく、バイオメトリクスセンサも指先からバイオメトリクスデータを読み取れるセンサが好ましい。
特に好ましくは、読み取ったバイオメトリクスデータに基づいて、そのユーザの設定情報に従った操作入力を、操作パネルからユーザが行えるようにする（請求項３）。
【０００７】
好ましくは、文書処理装置の機体上に、他の操作入力手段から独立させてバイオメトリクスデータの検出センサを設けて、ユーザのバイオメトリクスデータを読み取るようにし、読み取ったバイオメトリクスデータに基づいて、そのユーザの設定情報に応じた操作入力を、操作パネルからユーザが行えるようにする（請求項４）。操作パネルは例えばタッチパネルで、この場合ユーザ毎の設定情報に従い、例えば電話帳などのタッチパネル上の表示やキーの割り付けを変更する。
【０００８】
また好ましくは、文書処理装置の共用の設定情報を記憶するための手段を設けて、バイオメトリクスデータが入力されない際に、前記共用の設定情報に従って、文書処理装置を動作させるようにする（請求項５）。この結果、文書処理装置は、ユーザ毎の設定情報に従って動作するモードと、共用動作モードの２つの動作モードを持ち、ユーザがこれらを選択できることになる。
特に好ましくは、文書処理装置の機体上に、バイオメトリクスデータの検出センサへの入力エリアと、該検出センサに入力しないエリアの双方を設けた操作入力手段を設けて、該操作入力手段へのユーザの操作により、ユーザ毎の設定情報に従って文書処理装置を動作させるか、共用の設定情報に従って動作させるかを決定するようにする（請求項６）。このようにすると、どちらのエリアを用いて操作するかで、文書処理装置をユーザ毎の設定情報に従って動作させるか、共用の設定情報に従って動作させるかを決定できる。
操作入力手段に２つのエリアを設けて、バイオメトリクスデータを入力する化しないかを使い分ける代わりに、例えば、バイオメトリクスセンサを設けた操作入力手段に、所定時間以上タッチしたあるいは所定回数以上続けてタッチした場合と、操作入力手段へのタッチ時間が所定時間未満あるいは続けてタッチする回数が所定回数未満の場合とで、ユーザ毎の設定情報に従って動作させるかどうかを定めても良い。この場合例えば、所定時間以上継続して、バイオメトリクスセンサを設けた操作入力手段にタッチした場合に、ユーザ毎の設定情報に従って文書処理装置を動作させることにするとすると、バイオメトリクスデータの読取も容易なので好都合である。
【０００９】
好ましくは、バイオメトリクスデータの入力により、ユーザ毎の設定情報を呼び出して、文書処理装置をユーザ毎の設定情報に従って使用できるようにすると共に、文書処理装置に対するユーザの管理権限の認証を行うにする（請求項７）。このようにすると、文書処理装置をユーザ毎の設定情報に従って動作させると共に、管理権限の認証を行うことができる。
【００１０】
また好ましくは、バイオメトリクスデータの入力と、ユーザを特定する文字情報の入力のいずれによっても、ユーザ毎の設定情報を呼び出して、文書処理装置をユーザ毎の設定情報に従って使用できるようにする（請求項８）。これによって、パスコードやＩＤなどによってユーザ毎の設定情報を呼び出す在来の使用方法と、バイオメトリクスデータを用いた使用方法とを共存させることができる。
【００１１】
この発明の文書処理方法では、ユーザ毎のバイオメトリクスデータを記憶し、入力されたバイオメトリクスデータと記憶したバイオメトリクスデータとを比較して一致するバイオメトリクスデータを抽出し、抽出したバイオメトリクスデータからユーザを特定すると共に、ユーザ毎の文書処理装置の設定情報を記憶して、バイオメトリクスデータの入力によりユーザ毎の設定情報を呼び出して、文書処理装置をユーザ毎の設定情報に従って、ユーザに使用させるようにする（請求項９）。
【００１２】
好ましくは、文書処理装置の機体上に、操作入力手段を兼ねるようにして、バイオメトリクスデータの検出センサを設けて、前記操作入力手段の操作により、ユーザのバイオメトリクスデータを読み取るようにする（請求項１０）。
【００１３】
【発明の作用と効果】
この発明では、ユーザが入力したバイオメトリクスデータと、その記憶値とを比較して一致するユーザを特定し、このユーザの設定情報に従って文書処理装置を動作させる。この結果、パスコードやＩＤなどを入力しなくても、ユーザの設定に合わせて文書処理装置を使用することができる（請求項１，９）。
【００１４】
請求項２，１０の発明では、他の操作入力手段を兼ねるようにバイオメトリクスデータの検出センサを設けるので、ほぼ自動的にバイオメトリクスデータを入力できる。このため極めて簡単に文書処理装置をユーザ毎の設定情報に従って使用できる。
好ましくは、バイオメトリクスデータは、操作入力手段に指でタッチすることにより読取が可能なデータとする。このようなデータには、例えば指紋、ＤＮＡ、汗の成分、指の汗腺の分布、指の毛細血管のパターン、操作入力手段にタッチする際の圧力やその時間パターン、圧力の位置分布などがある。
ここで請求項３のように、操作パネルからユーザ毎の設定情報に従った操作入力が行えるようにすると、操作入力が極めて簡単になる。
【００１５】
請求項４の発明のように、他の操作入力手段とは独立してバイオメトリクスデータの検出センサを設けると、ユーザ毎の設定情報に従って文書処理装置を動作させるかどうかを簡単に使い分けることができる。そしてユーザ毎の設定情報を用いる場合、操作パネルからユーザ毎の設定に合わせた操作入力ができるようにする。
【００１６】
請求項５の発明では、文書処理装置の動作をユーザ毎の設定情報に従って動作する状態と、共用の設定情報に従って動作する状態の２つを設け、バイオメトリクスデータの入力の有無に従って、処理を切り替えることができる。このため、ユーザ毎の設定情報に従うか、共用の設定情報に従うかの使い分けができるのみでなく、バイオメトリクスデータを記憶させていない新規のユーザや、バイオメトリクスデータの認証に失敗した場合、共用の設定情報に従って文書処理装置を作動させることができる。ここでバイオメトリクスデータの検出センサの入力エリアと、このセンサに入力しないエリアの双方を設けた操作入力手段を設けると、文書処理装置をユーザ毎の設定情報で動作させるかを簡単に使い分けることができる。
【００１７】
また文書処理装置の管理者などに対する権限認証を、バイオメトリクスデータを用いて行うと、簡単に権限認証が行える。そしてこれに伴って、文書化処理装置の処理内容を、ユーザの権限に応じて変更することができる（請求項７）。
さらに請求項８のように、バイオメトリクスデータの入力によっても、パスコードやユーザＩＤなどのユーザを特定する文字情報の入力によっても、文書処理装置をユーザ毎の設定情報に従って動作させることができるようにすると、バイオメトリクスデータを文書処理装置に未登録の人（ユーザ）や、バイオメトリクスデータを文書処理装置に記憶させることに抵抗感のある人や、バイオメトリクスデータの読み取りが難しい人（指紋などの認証が失敗しやすい人）などでも、簡単に自己の設定情報に従って文書処理装置を使用できる。この明細書で、パスコードはパスワードを含むものとする。
【００１８】
【実施例】
図１〜図５に、実施例を示す。図１において、２は文書処理装置の例としての複合機で、その資源４として、ファクシミリ機能処理部６とスキャナ機能処理部８，コピー機能処理部１０，プリンタ機能処理部１２並びにＬＡＮインターフェース１４とを備えている。ファクシミリ機能処理部６は、ＰＳＴＮ（公衆電話回線網）１６などを介し、Ｇ３ファクシミリの送受信などを行う。スキャナ機能処理部８は、図示しないスキャナにより原稿画像を読み取り、コピー機能処理部１０は原稿を所定枚数コピーする。またプリンタ機能処理部１２は、ＬＡＮ１８などに接続されたパーソナルコンピュータなどのクライアントに対して、プリンタ機能を提供する。ＬＡＮインターフェース１４は、複合機２とＬＡＮ１８とのインターフェースであり、ＬＡＮ１８はルータ２０などを介して、インターネット２２などに接続されている。このため、ファクシミリ機能処理部６で作成した画像データは、電子メールの添付ファイルなどとされて、ＬＡＮインターフェース１４などを介して、インターネットファクシミリとして送信される。同様にＬＡＮインターフェース１４を介して受信したインターネットファクシミリは、ファクシミリ機能処理部６により、プリントアウトや宛先のユーザへの配信などで処理される。
【００１９】
複合機２の機体上には操作パネル３０を設け、操作パネル３０内に電話帳キー３２やスタートキー３４などの操作入力用のキーを設ける。なおこの明細書において、操作パネルは操作入力用のキーやスイッチなどを配置した機台上のパネルを意味する。
【００２０】
電話帳キー３２やスタートキー３４などのように、頻繁に使用されるキーに対して、またファクシミリ動作のスタート時に用いやすい電話帳キー３２やファクシミリ／コピーなどの機能選択キーなどに、指紋センサなどのバイオメトリクスセンサが配置してある。例えば指紋センサは、ＣＣＤセンサなどにより指紋のパターンを読み取り、特徴抽出を行うことにより構成できる。これ以外の指で触れるキーに重ねて配置できるバイオメトリクスセンサとしては、指先の毛細血管のパターンのセンサや、汗の成分や汗中に含まれるＤＮＡなどを検出するバイオセンサ、汗腺のパターンのセンサなどがある。またこれ以外に、半導体圧力センサなどをアレイ状に集積化して、キー３２などに指で触れる際の圧力の時間的変化と、平面的な圧力の分布のパターンを用いて、バイオメトリクスデータとすることもできる。キーは操作入力手段の例であり、ユーザがキーにタッチした際に、簡単にかつ自動的にバイオメトリクスデータを読み取ることができる。
【００２１】
キー３２などに重ね合わせるようにしてバイオメトリクスセンサを配置するのでない場合、掌紋や虹彩、顔の画像などをバイオメトリクスデータとすることもできる。またＬＡＮ１８を介して図示しないパーソナルコンピュータなどから複合機２を動作させる場合、キーボードのキーストロークのパターンや、マウスに加わる圧力のパターンなどをバイオメトリクスデータとすることもできる。
【００２２】
実施例では、操作パネル３０の操作入力と同時にバイオメトリクスデータが読み取られ、読み取られたバイオメトリクスデータは認証部３６で、テーブル３８に記憶したユーザ毎のバイオメトリクスデータと比較され、ユーザの特定が行われる。テーブル３８には、各ユーザに対して、右手の人差し指でキーにタッチする、あるいは右手の中指でキーにタッチするなどの可能性に備え、複数のバイオメトリクスデータを記憶する。またユーザのパスコードやユーザＩＤなどのユーザを特定するキャラクター情報（文字情報で、数字を含む文字の列で構成された情報）を記憶し、必要であればこれ以外に、ユーザの所属などを記憶する。認証部３６は、バイオメトリクスセンサから入力されたバイオメトリクスデータと、テーブル３８に記憶しているバイオメトリクスデータとを比較し、ユーザを特定して、そのユーザＩＤなどを出力する。なおユーザを特定できなかった場合、認証部３６は認証不能のデータを出力し、実施例ではこのデータは、バイオメトリクスデータが入力されなかったことと同じ意味になる。
【００２３】
４０はユーザデータベースで、ユーザ毎の設定データ（設定情報）を記憶している。そして認証部３６でユーザＩＤが特定されると、該当するユーザに対する設定データがデータベース４０から呼び出され、この設定データに従って、操作パネル３０での表示が決定されたり、また資源４の動作が決定される。この明細書では、ユーザ毎の設定データに従って、複合機２などの操作入力環境や動作内容を変更することを、ユーザ毎にカスタマイズする、あるいはユーザ毎の設定情報に従って文書処理装置などを動作させる、という。またユーザ毎の設定情報に従って文書処理装置などを動作させることには、例えば操作パネル中のタッチパネル５０のキーの機能をユーザ毎の設定により変更するなどのものも含まれる。
【００２４】
バイオメトリクスデータが入力されなかった場合や、認証部３６がユーザの特定に失敗した場合、共用設定データ記憶部４２で記憶している共用の設定データが読み出され、これに従って操作パネル３０の表示や資源４の動作が決定される。以上のように、実施例での複合機２の状態は、ユーザ毎にカスタマイズされた状態と、共用の状態の２通りである。そして複合機２は、例えば１０人程度のユーザに共用される状態を想定しており、バイオメトリクスデータで本人認証を行う目的は、パスワードなどを入力しなくても、ユーザに応じた操作環境や資源４の動作を提供することである。従って、本人認証の精度は必ずしも高いものである必要はない。このためテーブル３８には、バイオメトリクスデータをあまりに高精度な状態で記憶する必要はなく、１０人程度のユーザを識別できる程度の精度で、バイオメトリクスデータを記憶すればよい。またユーザＩＤはユーザの本名というよりも、単なるパスワードやパスコード、あるいは適宜の数字列や文字列などのキャラクターデータであり、テーブル３８内に記憶したバイオメトリクスデータが盗み出されても、直ちにバイオメトリクスデータの持ち主が特定される訳ではなく、また記憶しているバイオメトリクスデータの質自体もさして高いものではない。このため盗み出されたバイオメトリクスデータが悪用される恐れは少ない。
【００２５】
ユーザの特定は、バイオメトリクスデータの入力のみによるのではなく、操作パネル３０からテンキーなどを用いて、パスコードを入力するなどにより、ユーザを特定しても良い。パスコードなどによりユーザＩＤが入力されると、ユーザデータベース４０を用いて、そのユーザに合わせて資源４や操作パネル３０のカスタマイズが行われる。
【００２６】
装置管理部４４は、複合機２の管理に必要な権限レベルをユーザＩＤと対照可能な形で記憶している。例えば複合機２の管理者は、複合機２の設定データなどを任意に変更することができ、また全てのデータを出力することができ、さらに通信ログなどの全て管理用ファイルの抹消や出力などができる。これに対して、通常のユーザは、テーブル３８への自己のバイオメトリクスデータの更新や抹消、ユーザデータベース４０での自己の設定データの変更のみが許容されている。あるいは装置管理部４４で記憶する権限レベルに中間のレベルを設け、オールマイティの管理者と、一般のユーザの中間の権限レベルを持たせても良い。そして認証部３６で特定したユーザＩＤ、あるいは操作パネル３０から直接入力されたユーザＩＤなどは、装置管理部４４へ入力され、設定の変更などの処理に対して、操作管理部４４で定める権限の範囲での操作を許すものとする。
【００２７】
装置の個々の動作を示すと、図２に操作パネル３０の状態を示す。例えばＬＣＤと感圧センサとを組み合わせたタッチパネル５０に、ＦＡＸキーやコピーキー、その他のキー、並びに認証キーなどを設け、ＦＡＸキーやコピーキー、その他のキーに対しては、例えばその右半分に対してバイオメトリクスセンサ５１〜５３を配置し、左半分に対してはバイオメトリクスセンサを配置しないものとする。認証キー５４では、このキーの例えば全体にバイオメトリクスセンサを配置する。そこで、ＦＡＸキーやコピーキー、あるいはその他などのキーにタッチして、以降の操作の内容を選択する段階で、キーの右側にタッチすると、バイオメトリクスデータが読み取られてユーザが特定され、そのユーザに対してカスタマイズされたタッチパネル５０が表示されることになる。逆にこれらのキーの左半分にタッチすると、バイオメトリクスデータが読み取られないので、複数のユーザで複合機２を共用する際の共用の設定データに従ってタッチパネル５０での表示や複合機２の動作が定まることになる。
【００２８】
１つのキーを左右で使い分ける代わりに、所定時間以上継続してキーに触れるとバイオメトリクスデータをキーに重ねて設けたバイオメトリクスセンサから出力し、所定時間未満しかキーに触れていない場合は出力しないように使い分けることもできる。あるいはまた２回続けて、バイオメトリクスセンサを設けたキーにタッチすると、バイオメトリクスセンサからバイオメトリクスデータを出力し、このキーに１回だけタッチした場合には、バイオメトリクスデータを出力しないようにしても良い。
【００２９】
また認証キー５４の場合、バイオメトリクス認証に関する初期値は不認証であり、認証キー５４にタッチすることにより、バイオメトリクスデータが読み取られ、ユーザが特定されることになる。そしてこれと同時に、認証キー５４の明暗が変化するなどによって、バイオメトリクスデータが読み取られたことを表示する。図２の左上のように、機能選択用のキーや認証キー５４などで、バイオメトリクスデータを読み取るようにすると、複合機２の操作の開始の初期に、ユーザを特定することができる。従って以下のタッチパネル５０の表示を、そのユーザに合わせてカスタマイズすることができる。なおタッチパネル５０の表示を変える代わりに、タッチパネル中のキーの機能をユーザ毎の設定情報に合わせて変更しても良い。
【００３０】
あるいはまた図２の左下のように、ＦＡＸキーを選択し、タッチパネル５０に電話帳キーが表示された段階で、その右半分にバイオメトリクスセンサ５３が配置され、左半分にはバイオメトリクスセンサが配置されていないとする。するとこのキーの右半分に接触した場合、そのユーザに対応する電話帳が表示され、それ以外の場合はユーザ全員に対して共通の一般的な電話帳が表示される。ファクシミリに関する処理を行う場合において、ユーザ間で共用の電話帳と、個々のユーザ毎の電話帳とを選択して表示できると、極めて便利である。例えば送信先選択用の短縮キーなどは、タッチパネル５０のサイズのため、個数が制限されている場合が多い。また１人のユーザしか送信しないような宛先のファクシミリ番号やｅメールアドレスなどを電話帳に登録するのは、気が引けるものである。しかしながらユーザ毎の電話帳が提供されると、実質的に電話帳の容量が１０倍程度になったのと同じことになる。なおこの明細書において、電話帳はファクシミリ番号のリストのみならず、これに電子メールのアドレスを加えたリストを意味する。
【００３１】
バイオメトリクスセンサは、操作パネル３０上のこれ以外の位置にも配置できる。例えばタッチパネル５０の外側に認証用のスイッチを設けて、ここにバイオメトリクスセンサ５５を配置しても良い。この場合、バイオメトリクスセンサ５５にタッチする前の状態では不認証で、共用の設定データ（設定情報）に従って複合機が動作し、このセンサにタッチしてユーザが特定されると、そのユーザに対する設定情報（設定データ）に従って複合機が動作する。あるいはストップキーやスタートキーなどの頻繁に用いるキーに対して、バイオメトリクスセンサ５６，５７を配置しても良い。この場合、バイオメトリクスセンサをキーの一部を設けて、バイオメトリクスデータを入力するかしないかの選択が自在であるようにするのが望ましい。
【００３２】
図３にテーブル３８の構成を示すと、このテーブルはユーザ毎に区分され、記憶エリア６０には例えば１人のユーザに対して４つの指紋を記憶できるようにしてある。１人のユーザに対して複数のバイオメトリクスデータを記憶するのは、どの指でキーを操作しても良いようにする、あるいは指のどの位置でキーにタッチしても良いようにするためなどである。ユーザＩＤは適宜の文字列などで記載され、実際の個人名ではなく、複合機２の内部においてユーザを特定するためのＩＤである。従ってこのユーザＩＤは単なるパスコードと見なすこともできる。ユーザＩＤは記憶エリア６１に記憶する。必要であれば記憶エリア６２を設けて、各ユーザの所属などの属性を記憶する。なお装置管理部４４に記憶したユーザ毎の権限レベルは、テーブル３８に記憶しても良い。
【００３３】
図４に、バイオメトリクスデータやユーザＩＤを介しての、複合機２のカスタマイズの例を示す。タッチパネル５０などでのキーの配置や表示の内容がユーザ毎に切り替えられ、例えばアドレス帳（電話帳）７０の表示が切り替えられる。なおこの明細書でアドレス帳は、ファクシミリの送受信先である電話帳と、電子メールの送受信先であるメールアドレスの双方のアドレスを合わせたものとする。
【００３４】
送り状処理部７２に対してユーザＩＤが入力されると、各ユーザ毎の送り状が、送信ファクシミリに自動的に添付され、インターネットファクシミリの場合、電子メールの本文が自動的に作成される。そしてどのような送り状を作成するかを、ユーザ毎に指定できる。前記の装置管理部４４に対してユーザＩＤが入力されると、そのユーザが処理し得る権限範囲を特定することができる。メールボックス処理部７４に対してユーザＩＤが入力されると、このユーザの持つメールボックスに対して、ユーザのアクセスが許可される。従って自分のメールボックスにアクセスするのに、一々パスコードなどを入力しなくても、指で所定のキーに触れるだけでアクセスすることができる。
【００３５】
実施例でのユーザ毎のカスタマイズのアルゴリズムを示す。ステップ１でバイオメトリクスデータを受け付ける。バイオメトリクスデータは操作パネルにユーザがタッチした際に、主なキーに指紋の検出センサなどを重ねて配置することにより、無意識に、かつほとんど自動的に読み取れるようにする。そして前記のように、バイオメトリクスセンサは操作入力の初期にタッチするキーに重ねて配置することが好ましい。なお図２の認証キー５４などのように、バイオメトリクス認証専用のキーを設けて、そこにタッチすると認証を行うようにすると、認証が不要な場合、キー５４などにタッチしなければ良く簡単になる。そして、図５には記載を省略したが、バイオメトリクスデータを受け付け、ユーザを特定できると、操作パネルなどによる操作入力をそのユーザに合わせて、具体的にはユーザ毎の設定情報（設定データ）に従って、カスタマイズする。
【００３６】
バイオメトリクスデータの入力は操作入力の完了まで受け付け（ステップ２）、バイオメトリクスデータが入力されている場合（ステップ３）で、かつバイオメトリクスデータによるユーザの特定に成功した場合（ステップ４）、ユーザＩＤに変換し（ステップ５）、ユーザ毎の設定情報に従って文書処理装置の動作をカスタマイズし、ユーザにカスタマイズされたサービスを提供する（ステップ６）。そしてバイオメトリクスデータが入力されなかった場合、あるいはバイオメトリクスデータからユーザを特定できなかった場合、共有用の設定に従い、複合機を動作させる（ステップ７）。
【００３７】
実施例では文書処理装置を例に説明したが、共用される装置に対してバイオメトリクスデータによりユーザを特定して、そのユーザに応じてカスタマイズすることは、他の装置でも行うことができる。例えば一家でテレビを共用する場合、電源オンのスイッチに指紋センサなどのバイオメトリクスセンサを重ねて設け、誰が電源をオンしたかによって、音量やコントラストなどをそのユーザの好みに合わせることができる。すなわちユーザ毎に音量大きめ／小さめ、コントラスト強め／弱めなどを記憶し、電源をオンしたユーザに合わせればよいのである。また家庭用のトースターや電子レンジなどの場合、調理強め／弱めなどをユーザに合わせて記憶し、電源スイッチなどに合わせて、あるいはスタートスイッチなどに合わせて、指紋センサなどのバイオメトリクスセンサを配置して、ユーザを特定し、そのユーザの好みに従って作動させることができる。同様にエアコンの操作スイッチに指紋センサなどを配置し、誰がエアコンを操作しているかにより、目標温度高め／低め、風量強め／弱め、動作時間長め／短めなどを決定しても良い。
【００３８】
実施例では以下の効果が得られる。
（１）  コピー／ファクシミリ兼用の複合機の動作を、ユーザに合わせて変更できる。
（２）  バイオメトリクスデータの入力を、極めて簡単に行うことができる。
（３）  キーの一部に指紋センサなどのバイオメトリクスセンサを配置し、他の部分にバイオメトリクスセンサを配置しないことにより、ユーザ毎の設定情報で動作させるかさせないかを、簡単に使い分けることができる。
（４）  バイオメトリクスセンサを、操作の初期に入力するキーに重ねて配置すると、操作パネルでの表示、特にタッチパネルの表示や、操作キーへの入力の意味の解釈などを、ユーザ毎に変更できる。
（５）  他のキーと分離して、バイオメトリクスデータの入力専用のキーなどを設けると、複合機をユーザ毎の設定情報に合わせて動作させるかどうかを簡単に使い分けることができる。
（６）  ユーザ毎の設定情報に従う状態と、共用の状態の２つの状態を複合機に設けると、使い勝手がよい。例えばバイオメトリクスデータの入力に失敗した場合や、バイオメトリクスデータを記憶させていないユーザでも、それなりの動作環境が得られる。
（７）  バイオメトリクスデータを利用して、ユーザの権限レベルの認証を行うと、複合機の管理権限の確認に、パスコードなどの入力を不要にできる。
【図面の簡単な説明】
【図１】実施例の複合機のブロック図
【図２】図１の複合機での操作パネルへのバイオメトリクスセンサの配置を、模式的に示す図
【図３】実施例での、バイオメトリクスデータとユーザＩＤとの対応表を、模式的に示す図
【図４】実施例でのバイオメトリクスデータによる複合機のカスタマイズを示すブロック図
【図５】実施例での、バイオメトリクスデータを用いた複合機のカスタマイズアルゴリズムを示すフローチャート
【符号の説明】
２          複合機
４          資源
６          ファクシミリ機能処理部
８          スキャナ機能処理部
１０        コピー機能処理部
１２        プリンタ機能処理部
１４        ＬＡＮインターフェース
１６        ＰＳＴＮ（公衆電話回線網）
１８        ＬＡＮ
２０        ルータ
２２        インターネット
３０        操作パネル
３２        電話帳キー
３４        スタートキー
３６        認証部
３８        テーブル
４０        ユーザデータベース
４２        共用設定データ記憶部
４４        装置管理部
５０        タッチパネル
５１〜５３  バイオメトリクスセンサ
５４        認証キー
５５〜５７  バイオメトリクスセンサ
６０〜６２  記憶エリア
７０        アドレス帳
７２        送り状処理部
７４        メールボックス処理部
【図１】
2005006259.tif 000003
【図２】
2005006259.tif 000004
【図３】
2005006259.tif 000005
【図４】
2005006259.tif 000006
【図５】
2005006259.tif 000007